(57)【要約】【課題】車両用灯具のオートレベリング制御の精度を高める技術を提供する。【解決手段】ある態様の車両用灯具の制御装置は、路面角度と車両姿勢角度とを含む合計角度を導出可能な傾斜センサ１１０の検出値を受信する受信部１０２と、路面角度の基準値と車両姿勢角度の基準値とを保持し、車両停止中の検出値の変化に対して検出値と路面角度の基準値とから得られる車両姿勢角度を用いて、車両用灯具の光軸の調節信号を出力し、得られる車両姿勢角度を新たな基準値として保持し、車両走行中の検出値の変化に対して光軸位置を維持するよう制御し、検出値と車両姿勢角度の基準値とから得られる路面角度を新たな基準値として保持する制御部１０４と、初期化処理終了からの所定期間、当該期間における車両停止中の検出値の変化を車両姿勢角度の基準値及び路面角度の基準値の少なくとも一方に反映させない制御を指示する基準値算出制限部１１２とを備える。【選択図】図２
2014104787.tif 000002
【特許請求の範囲】
【請求項１】
水平面に対する路面の傾斜角度である路面角度と、路面に対する車両の傾斜角度である車両姿勢角度とを含む、水平面に対する車両の傾斜角度である合計角度を導出可能な傾斜センサの検出値を受信するための受信部と、
前記路面角度の基準値と前記車両姿勢角度の基準値とを保持し、車両停止中の前記検出値の変化に対しては、前記検出値と前記路面角度の基準値とから得られる車両姿勢角度を用いて、車両用灯具の光軸位置の調節を指示する調節信号を出力し、得られる車両姿勢角度を新たな基準値として保持し、車両走行中の前記検出値の変化に対しては、前記調節信号の出力を回避するか、光軸位置の維持を指示する維持信号を出力し、前記検出値と前記車両姿勢角度の基準値とから得られる路面角度を新たな基準値として保持する制御部と、
所定の初期化処理が終了してからの所定期間、当該所定期間における車両停止中の前記検出値の変化を前記車両姿勢角度の基準値及び前記路面角度の基準値の少なくとも一方に反映させない制御を前記制御部に指示する基準値算出制限部と、
を備えることを特徴とする車両用灯具の制御装置。
【請求項２】
前記基準値算出制限部は、前記所定期間における車両停止中の前記検出値の変化を、前記車両姿勢角度の基準値に反映させず、前記路面角度の基準値に反映させる制御を前記制御部に指示する請求項１に記載の制御装置。
【請求項３】
前記基準値算出制限部は、車両用灯具の所定の点消灯操作が実行された場合、制御装置の所定の起動動作が実行された場合、外部装置から解除信号を受信した場合、制御装置の起動回数が所定回数を越えた場合、又は車両の走行距離が所定距離を超えた場合に、前記指示を停止する請求項１又は２に記載の制御装置。
【請求項４】
光軸を調節可能な車両用灯具と、
水平面に対する路面の傾斜角度である路面角度と、路面に対する車両の傾斜角度である車両姿勢角度とを含む、水平面に対する車両の傾斜角度である合計角度を導出可能な傾斜センサと、
前記車両用灯具の光軸調節を制御するための制御装置と、を備え、
前記制御装置は、
前記傾斜センサの検出値を受信するための受信部と、
前記路面角度の基準値と前記車両姿勢角度の基準値とを保持し、車両停止中の前記検出値の変化に対しては、前記検出値と前記路面角度の基準値とから得られる車両姿勢角度を用いて、車両用灯具の光軸位置の調節を指示する調節信号を出力し、得られる車両姿勢角度を新たな基準値として保持し、車両走行中の前記検出値の変化に対しては、前記調節信号の出力を回避するか、光軸位置の維持を指示する維持信号を出力し、前記検出値と前記車両姿勢角度の基準値とから得られる路面角度を新たな基準値として保持する制御部と、
制御装置の所定の初期化処理が終了してからの所定期間、当該所定期間における車両停止中の前記検出値の変化を前記車両姿勢角度の基準値及び前記路面角度の基準値の少なくとも一方に反映させない制御を前記制御部に指示する基準値算出制限部と、
を備えることを特徴とする車両用灯具システム。
【発明の詳細な説明】
【技術分野】
【０００１】
本発明は、車両用灯具の制御装置及び車両用灯具システムに関する。特に、自動車などに用いられる車両用灯具の制御装置及び車両用灯具システムに関する。
【背景技術】
【０００２】
従来、車両の傾斜角度に応じて車両用前照灯の光軸位置を自動的に調節して、前照灯の照射方向を変化させるオートレベリング制御が知られている。一般にオートレベリング制御では、車高センサの出力値から導出される車両のピッチ角度に基づいて前照灯の光軸位置が調節される。これに対し、特許文献１及び２には、加速度センサ等の傾斜センサを用いてオートレベリング制御を実施する車両用灯具の制御装置が開示されている。
【先行技術文献】
【特許文献】
【０００３】
【特許文献１】特開２０１２−０３０７８２号公報
【特許文献２】特開２０１２−０３０７８３号公報
【発明の概要】
【発明が解決しようとする課題】
【０００４】
加速度センサ、ジャイロセンサ（角速度センサ、角加速度センサ）や地磁気センサ等の傾斜センサを用いた場合、車高センサを用いた場合に比べてオートレベリングシステムをより安価にすることができ、また軽量化を図ることもできる。その結果、車両の低コスト化及び軽量化を図ることができる。一方で、加速度センサ等の傾斜センサを用いた場合であっても、高精度にオートレベリング制御を実施したいという要求はある。
【０００５】
本発明者らは、オートレベリング制御の高精度化を実現すべく鋭意検討した結果、従来の車両用灯具の制御装置には、オートレベリング制御のさらなる高精度化を図る余地があることを認識するに至った。
【０００６】
本発明はこうした状況に鑑みてなされたものであり、その目的は、車両用灯具のオートレベリング制御の精度を高める技術を提供することにある。
【課題を解決するための手段】
【０００７】
上記課題を解決するために、本発明のある態様は車両用灯具の制御装置である。当該制御装置は、水平面に対する路面の傾斜角度である路面角度と、路面に対する車両の傾斜角度である車両姿勢角度とを含む、水平面に対する車両の傾斜角度である合計角度を導出可能な傾斜センサの検出値を受信するための受信部と、前記路面角度の基準値と前記車両姿勢角度の基準値とを保持し、車両停止中の前記検出値の変化に対しては、前記検出値と前記路面角度の基準値とから得られる車両姿勢角度を用いて、車両用灯具の光軸位置の調節を指示する調節信号を出力し、得られる車両姿勢角度を新たな基準値として保持し、車両走行中の前記検出値の変化に対しては、前記調節信号の出力を回避するか、光軸位置の維持を指示する維持信号を出力し、前記検出値と前記車両姿勢角度の基準値とから得られる路面角度を新たな基準値として保持する制御部と、所定の初期化処理が終了してからの所定期間、当該所定期間における車両停止中の前記検出値の変化を前記車両姿勢角度の基準値及び前記路面角度の基準値の少なくとも一方に反映させない制御を前記制御部に指示する基準値算出制限部と、を備えることを特徴とする。この態様の制御装置によれば、車両用灯具のオートレベリング制御の精度を高めることができる。
【０００８】
上記態様において、前記基準値算出制限部は、前記所定期間における車両停止中の前記検出値の変化を、前記車両姿勢角度の基準値に反映させず、前記路面角度の基準値に反映させる制御を前記制御部に指示してもよい。これによれば、オートレベリング制御の精度をより高めることができる。
【０００９】
上記いずれかの態様において、前記基準値算出制限部は、車両用灯具の所定の点消灯操作が実行された場合、制御装置の所定の起動動作が実行された場合、外部装置から解除信号を受信した場合、制御装置の起動回数が所定回数を越えた場合、又は車両の走行距離が所定距離を超えた場合に、前記指示を停止してもよい。
【００１０】
本発明の他の態様は、車両用灯具システムである。当該車両用灯具システムは、光軸を調節可能な車両用灯具と、水平面に対する路面の傾斜角度である路面角度と、路面に対する車両の傾斜角度である車両姿勢角度とを含む、水平面に対する車両の傾斜角度である合計角度を導出可能な傾斜センサと、前記車両用灯具の光軸調節を制御するための制御装置と、を備える。前記制御装置は、前記傾斜センサの検出値を受信するための受信部と、前記路面角度の基準値と前記車両姿勢角度の基準値とを保持し、車両停止中の前記検出値の変化に対しては、前記検出値と前記路面角度の基準値とから得られる車両姿勢角度を用いて、車両用灯具の光軸位置の調節を指示する調節信号を出力し、得られる車両姿勢角度を新たな基準値として保持し、車両走行中の前記検出値の変化に対しては、前記調節信号の出力を回避するか、光軸位置の維持を指示する維持信号を出力し、前記検出値と前記車両姿勢角度の基準値とから得られる路面角度を新たな基準値として保持する制御部と、制御装置の所定の初期化処理が終了してからの所定期間、当該所定期間における車両停止中の前記検出値の変化を前記車両姿勢角度の基準値及び前記路面角度の基準値の少なくとも一方に反映させない制御を前記制御部に指示する基準値算出制限部と、を備える。
【００１１】
なお、上述した各要素を適宜組み合わせたものも、本件特許出願によって特許による保護を求める発明の範囲に含まれうる。
【発明の効果】
【００１２】
本発明によれば、車両用灯具のオートレベリング制御の精度を高める技術を提供することができる。
【図面の簡単な説明】
【００１３】
【図１】実施形態１に係るレベリングＥＣＵの制御対象である車両用灯具を含む前照灯ユニットの概略鉛直断面図である。
【図２】前照灯ユニット、車両制御ＥＣＵ及びレベリングＥＣＵの動作連携を説明する機能ブロック図である。
【図３】車両に生じる加速度ベクトルと、傾斜センサで検出可能な車両の傾斜角度を説明するための模式図である。
【図４】図４（Ａ）〜図４（Ｃ）は、初期化処理の終了からユーザへの引き渡しまでの車両の状態を示す模式図である。
【図５】実施形態１に係る車両用灯具の制御装置が実行するオートレベリング制御のフローチャートである。
【発明を実施するための形態】
【００１４】
以下、本発明を好適な実施の形態をもとに図面を参照しながら説明する。各図面に示される同一又は同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１５】
（実施形態１）
図１は、実施形態１に係るレベリングＥＣＵの制御対象である車両用灯具を含む前照灯ユニットの概略鉛直断面図である。前照灯ユニット２１０は、左右対称に形成された一対の前照灯ユニットが車両の車幅方向の左右に１つずつ配置された構造である。右側の前照灯ユニット２１０Ｒ及び左側の前照灯ユニット２１０Ｌは実質的に同一の構成であるため、以下では、右側の前照灯ユニット２１０Ｒの構造を説明する。前照灯ユニット２１０Ｒは、車両前方側に開口部を有するランプボディ２１２と、この開口部を覆う透光カバー２１４とを有する。ランプボディ２１２は、車両後方側に着脱カバー２１２ａを有する。ランプボディ２１２と透光カバー２１４とによって灯室２１６が形成されている。灯室２１６には車両用灯具としての灯具ユニット１０が収納されている。
【００１６】
灯具ユニット１０には、灯具ユニット１０の上下左右方向の揺動中心となるピボット機構２１８ａを有するランプブラケット２１８が形成されている。ランプブラケット２１８は、ランプボディ２１２に支持されたエイミング調整ネジ２２０と螺合している。灯具ユニット１０の下面には、スイブルアクチュエータ２２２の回転軸２２２ａが固定されている。スイブルアクチュエータ２２２は、ユニットブラケット２２４に固定されている。ユニットブラケット２２４には、レベリングアクチュエータ２２６が接続されている。レベリングアクチュエータ２２６は、例えばロッド２２６ａを矢印Ｍ，Ｎ方向に伸縮させるモータなどで構成されている。灯具ユニット１０は、ロッド２２６ａが矢印Ｍ，Ｎ方向に伸縮することで後傾姿勢、前傾姿勢となり、これにより光軸Ｏのピッチ角度を下方、上方に向けるレベリング調整ができる。
【００１７】
灯具ユニット１０は、回転シェード１２を含むシェード機構１８、光源１４、リフレクタ１６を内壁に支持する灯具ハウジング１７、及び投影レンズ２０を備える。光源１４は、白熱球やハロゲンランプ、放電球、ＬＥＤなどが使用可能である。リフレクタ１６は、少なくとも一部が楕円球面状であり、光源１４から放射された光を反射する。光源１４からの光及びリフレクタ１６で反射した光は、一部が回転シェード１２を経て投影レンズ２０へと導かれる。回転シェード１２は、回転軸１２ａを中心に回転可能な円筒部材であり、切欠部と複数のシェードプレート（図示せず）とを備える。切欠部又はシェードプレートのいずれかが光軸Ｏ上に移動されて、所定の配光パターンが形成される。投影レンズ２０は、平凸非球面レンズからなり、後方焦点面上に形成される光源像を反転像として灯具前方の仮想鉛直スクリーン上に投影する。
【００１８】
図２は、前照灯ユニット、車両制御ＥＣＵ及びレベリングＥＣＵの動作連携を説明する機能ブロック図である。なお、図２では前照灯ユニット２１０Ｒ及び前照灯ユニット２１０Ｌをまとめて前照灯ユニット２１０としている。また、レベリングＥＣＵ１００は、ハードウェア構成としてはコンピュータのＣＰＵやメモリをはじめとする素子や回路で実現され、ソフトウェア構成としてはコンピュータプログラム等によって実現されるが、図２ではそれらの連携によって実現される機能ブロックとして描いている。したがって、これらの機能ブロックはハードウェア、ソフトウェアの組合せによっていろいろなかたちで実現できることは、当業者には理解されるところである。
【００１９】
車両用灯具の制御装置としてのレベリングＥＣＵ１００は、受信部１０２、制御部１０４、送信部１０６、メモリ１０８、傾斜センサ１１０及び基準値算出制限部１１２を備える。レベリングＥＣＵ１００は、例えば車両３００のダッシュボード付近に設置される。なお、レベリングＥＣＵ１００の設置位置は特に限定されず、例えば前照灯ユニット２１０内に設けられてもよい。また、傾斜センサ１１０は、レベリングＥＣＵ１００の外に設けられてもよい。レベリングＥＣＵ１００には、車両制御ＥＣＵ３０２やライトスイッチ３０４が接続されている。車両制御ＥＣＵ３０２やライトスイッチ３０４から出力される信号は、受信部１０２によって受信される。また、受信部１０２は、傾斜センサ１１０の検出値を受信する。
【００２０】
車両制御ＥＣＵ３０２には、ステアリングセンサ３１０、車速センサ３１２、ナビゲーションシステム３１４等が接続されている。これらのセンサ等から出力された信号は、車両制御ＥＣＵ３０２を介してレベリングＥＣＵ１００の受信部１０２によって受信される。ライトスイッチ３０４は、運転者の操作内容に応じて、前照灯ユニット２１０の点消灯を指示する信号やオートレベリング制御の実行を指示する信号等を、電源３０６、車両制御ＥＣＵ３０２、レベリングＥＣＵ１００等に送信する。
【００２１】
受信部１０２が受信した信号は、制御部１０４に送信される。制御部１０４は、傾斜センサ１１０の検出値を用いて、灯具ユニット１０の光軸Ｏを制御する。制御部１０４は、角度演算部１０４１及び調節指示部１０４２を有する。角度演算部１０４１は、傾斜センサ１１０の検出値と必要に応じてメモリ１０８が保持する情報を用いて車両３００のピッチ角度情報を生成する。調節指示部１０４２は、角度演算部１０４１で生成されたピッチ角度情報を用いて灯具ユニット１０の光軸位置の調節を指示する調節信号を生成し出力する。
【００２２】
制御部１０４は、調節指示部１０４２で生成した調節信号を送信部１０６を介してレベリングアクチュエータ２２６に出力する。レベリングアクチュエータ２２６は、受信した調節信号をもとに駆動する。これにより、灯具ユニット１０の光軸Ｏがピッチ角度方向について調整される。基準値算出制限部１１２は、制御部１０４による基準値算出を制限する。制御部１０４及び基準値算出制限部１１２の動作については、後に詳細に説明する。
【００２３】
車両３００には、レベリングＥＣＵ１００、車両制御ＥＣＵ３０２及び前照灯ユニット２１０に電力を供給する電源３０６が搭載されている。ライトスイッチ３０４の操作により前照灯ユニット２１０の点灯が指示されると、電源３０６から電源回路２３０を介して光源１４に電力が供給される。
【００２４】
続いて、上述の構成を備えるレベリングＥＣＵ１００によるオートレベリング制御について詳細に説明する。図３は、車両に生じる加速度ベクトルと、傾斜センサで検出可能な車両の傾斜角度を説明するための模式図である。
【００２５】
例えば、車両後部の荷室に荷物が載せられたり後部座席に乗員がいる場合、車両姿勢は後傾姿勢となり、荷室から荷物が下ろされたり後部座席の乗員が下車した場合、車両姿勢は後傾姿勢の状態から前傾する。車両が後傾姿勢あるいは前傾姿勢になると、灯具ユニット１０の照射方向も上下に変動し、前方照射距離が長くなったり短くなったりする。そこで、レベリングＥＣＵ１００は、傾斜センサ１１０の検出値から車両のピッチ方向の傾斜角度又はその変化を導出し、光軸Ｏのピッチ角度（以下では適宜、この角度を光軸角度θｏという）を車両姿勢に応じた角度とする。車両姿勢に基づき灯具ユニット１０のレベリング調整をリアルタイムで行うオートレベリング制御を実施することで、車両姿勢が変化しても前方照射の到達距離を最適に調節することができる。
【００２６】
傾斜センサ１１０は、例えば互いに直交するＸ軸、Ｙ軸、Ｚ軸を有する３軸加速度センサである。傾斜センサ１１０は、任意の姿勢で車両３００に取り付けられ、車両３００に生じる加速度ベクトルを検出する。走行中の車両３００には、重力加速度と車両３００の移動により生じる運動加速度とが生じる。そのため、傾斜センサ１１０は、図３に示すように、重力加速度ベクトルＧと運動加速度ベクトルαとが合成された合成加速度ベクトルβを検出することができる。また、車両３００の停止中、傾斜センサ１１０は、重力加速度ベクトルＧを検出することができる。傾斜センサ１１０は、検出した加速度ベクトルの各軸成分の数値を出力する。傾斜センサ１１０から出力されるＸ軸、Ｙ軸、Ｚ軸の各成分の数値は、制御部１０４によって車両３００の前後軸、左右軸、上下軸の成分に変換される。例えば、メモリ１０８には傾斜センサ１１０の軸位置と車両３００の軸位置とを対応付けた変換テーブルが記録されており、制御部１０４は、この変換テーブルを用いてセンサ座標系の数値を車両座標系の数値に変換する。
【００２７】
車両停止中の傾斜センサ１１０の検出値からは、重力加速度ベクトルＧに対する車両３００の傾きを導出することができる。すなわち、傾斜センサ１１０の検出値から、水平面に対する路面の傾斜角度である路面角度θｒと、路面に対する車両の傾斜角度である車両姿勢角度θｖとを含む、水平面に対する車両の傾斜角度である合計角度θを導出可能である。なお、路面角度θｒ、車両姿勢角度θｖ及び合計角度θは、車両３００のピッチ方向の角度である。
【００２８】
これに対し、オートレベリング制御は、車両３００のピッチ方向の傾斜角度の変化にともなう車両用灯具の前方照射距離の変化を吸収して、照射光の前方到達距離を最適に保つことを目的とするものである。したがって、オートレベリング制御に必要とされる車両３００の傾斜角度は、車両姿勢角度θｖである。すなわち、オートレベリング制御では、車両姿勢角度θｖが変化した場合に灯具ユニット１０の光軸位置が調節され、路面角度θｒが変化した場合に灯具ユニット１０の光軸位置が維持されることが望まれる。
【００２９】
そこで、本実施形態に係るレベリングＥＣＵ１００は、車両停止中の合計角度θの変化を車両姿勢角度θｖの変化と推定し、車両走行中の合計角度θの変化を路面角度θｒの変化と推定する。車両走行中は、積載荷量や乗車人数が増減して車両姿勢角度θｖが変化することは稀であるため、車両走行中の合計角度θの変化を路面角度θｒの変化と推定することができる。一方、車両停止中は車両３００が移動して路面角度θｒが変化することは稀であるため、車両停止中の合計角度θの変化を車両姿勢角度θｖの変化と推定することができる。
【００３０】
そして、レベリングＥＣＵ１００の制御部１０４は、車両停止中の合計角度θの変化、すなわち傾斜センサ１１０の検出値の変化に対して光軸調節を実施し、車両走行中の合計角度θの変化に対して光軸位置を維持するよう制御する。光軸位置を維持する場合、光軸調節を指示する調節信号の出力を回避するか、光軸位置の維持を指示する維持信号を出力することで、光軸位置を維持することができる。なお、調節信号の出力の回避は、調節信号を生成しないことで回避してもよいし、調節信号を生成した上で生成した調節信号の出力を回避してもよい。
【００３１】
具体的には、まず車両メーカの製造工場等で、車両３００が水平面に置かれて基準状態とされる。そして、初期化処理装置のスイッチ操作やＣＡＮ（Controller Area Network）システムの通信等により、レベリングＥＣＵ１００に初期化信号が送信される。制御部１０４は、初期化信号を受けると初期エイミング調整を開始し、灯具ユニット１０の光軸Ｏを初期設定位置に合わせる。また、制御部１０４は、基準状態における傾斜センサ１１０の出力値を、路面角度θｒの基準値（θｒ＝０°）、車両姿勢角度θｖの基準値（θｖ＝０°）として、メモリ１０８に記憶することで保持する。
【００３２】
車両３００が実際に使用されている状況において、制御部１０４の調節指示部１０４２は、車両走行中の合計角度θの変化に対して光軸位置を維持する。車両が走行中であることは、例えば車速センサ３１２から得られる車速により判断することができる。そして車両停止時に、角度演算部１０４１は、現在（車両停止時）の合計角度θから車両姿勢角度θｖの基準値を減算して路面角度θｒを得る。そして、得られた路面角度θｒを新たな基準値としてメモリ１０８に保持する。これにより、路面角度θｒの変化と推定される車両走行中の合計角度θの変化が、路面角度θｒの基準値に取り込まれる。なお、角度演算部１０４１は、車両停止時に走行前後での合計角度θの差分を算出し、この差分を路面角度θｒの基準値に算入して新たな路面角度θｒの基準値を算出してもよい。
【００３３】
車両停止中、角度演算部１０４１は、所定のタイミングで繰り返し車両姿勢角度θｖを計算する。角度演算部１０４１は、現在の合計角度θから路面角度θｒの基準値を減算して車両姿勢角度θｖを得る。そして、得られた車両姿勢角度θｖを新たな基準値としてメモリ１０８に保持する。これにより、車両姿勢角度θｖの変化と推定される車両停止中の合計角度θの変化が、車両姿勢角度θｖの基準値に取り込まれる。なお、角度演算部１０４１は、例えば前回検出した合計角度θと現在の合計角度θとの差分を算出し、この差分を車両姿勢角度θｖの基準値に算入して新たな車両姿勢角度θｖの基準値を算出してもよい。
【００３４】
調節指示部１０４２は、得られた車両姿勢角度θｖ（更新した車両姿勢角度θｖの基準値を含む）を用いて調節信号を生成し、出力する。例えば、調節指示部１０４２は、予めメモリ１０８に記憶されている車両姿勢角度θｖと光軸角度θｏとを対応付けた変換テーブルを用いて光軸角度θｏを決定し、この光軸角度θｏとなるよう光軸Ｏの調節を指示する調節信号を生成する。調節信号は、送信部１０６を介してレベリングアクチュエータ２２６に送信され、レベリングアクチュエータ２２６の駆動により、決定された光軸角度θｏに光軸Ｏが調節される。なお、制御部１０４は、イグニッションがオンにされてレベリングＥＣＵ１００が起動する際に、合計角度θと路面角度θｒの基準値とを用いて車両姿勢角度θｖを算出する。
【００３５】
前記「車両走行中」は、例えば車速センサ３１２の検出値が０を越えたときから、車速センサ３１２の検出値が０となるまでの間である。前記「車両停止時」は、例えば車速センサ３１２の検出値が０となった後、傾斜センサ１１０の出力値が安定したときである。この「安定したとき」は、傾斜センサ１１０の検出値の単位時間あたりの変化量が所定量以下となったときとしてもよいし、車速センサ３１２の検出値が０になってから所定時間経過後（例えば１〜２秒後）としてもよい。前記「車両停止中」は、例えば傾斜センサ１１０の出力値が安定したとき（車両停止時）から車速センサ３１２の検出値が０を越えるまでの期間である。前記「車両走行中」、「車両停止時」、「所定量」、「所定時間」及び「車両停止中」は、設計者による実験やシミュレーションに基づき適宜設定することが可能である。
【００３６】
（基準値算出制限部による制御）
図４（Ａ）〜図４（Ｃ）は、初期化処理の終了からユーザへの引き渡しまでの車両の状態を示す模式図である。通常、車両３００は、初期化処理において灯具ユニット１０の光軸Ｏが初期設定位置に合わせられた後（図４（Ａ））、トラック等の搬送車両に積載されて工場から出荷される（図４（Ｂ））。車両搬送中、車両３００は搬送車両上で停止している。ここで、車両３００が搬送車両に積載される際の路面が水平であり、搬送車両から下ろされた路面が角度θｒ１だけ傾いた路面であったとする。この場合、実際は路面角度θｒの変化によって合計角度θが角度θｒ１だけ変化したにもかかわらず、制御部１０４は、この合計角度θの変化を車両姿勢角度θｖの変化と認識してしまう。すなわち、制御部１０４は、上述した車両停止中の制御を実行し、合計角度θから路面角度θｒの基準値を減算して車両姿勢角度θｖを算出する。これにより、車両姿勢角度θｖの基準値に、路面角度θｒの変化である角度θｒ１が取り込まれてしまう。
【００３７】
また、車両の製造工場において、車両３００は初期化処理後に車両検査用のローラ台上で走行させられる。ローラ台は、車両３００の車輪が載置されるローラを有し、車両３００が走行状態になるとローラが回転する。これにより、車両３００を定常位置に留まらせることができ、走行状態にある車両に対して各種の検査を容易に実施することができる。車両３００が自走してローラ台上に移動する間、ローラ台のローラは回転しないように固定されている。そして、車両３００がローラ台上の決められた位置に停止すると、ローラの固定が解除される。
【００３８】
ローラは、固定が解除されると位置がずれることがあり、このずれによって傾斜センサ１１０の検出値が変化する場合がある。この合計角度θの変化は、路面角度θｒの変化に相当する。しかしながらローラの固定解除時、車両３００は停止している。そのため、実際は路面角度θｒの変化によって合計角度θが変化したにもかかわらず、制御部１０４は、上述した車両停止中の制御を実行して、ローラの固定解除に起因する路面角度θｒの変化を車両姿勢角度θｖの基準値に取り込んでしまう。
【００３９】
すなわち、初期化処理後、車両停止中であるにもかかわらず路面角度θｒが変化し、この変化が車両姿勢角度θｖの変化として車両姿勢角度θｖの基準値に取り込まれれてしまう場合がある。この場合、取り込まれた路面角度θｒの変化分だけ車両姿勢角度θｖ及び光軸角度θｏに誤差が発生してしまう。そこで、基準値算出制限部１１２は、初期化処理が終了してからの所定期間、当該所定期間における車両停止中（車両３００が自走していない状態）の傾斜センサ１１０の検出値の変化、言い換えれば合計角度θの変化を車両姿勢角度θｖの基準値に反映させない制御を制御部１０４に指示する（以下では適宜、この指示を制限指示という）。
【００４０】
制御部１０４は、基準値算出制限部１１２から制限指示を受けると、上述した車両停止中の車両姿勢角度θｖの基準値の更新を回避する。これにより、車両停止中の路面角度θｒの変化が車両姿勢角度θｖの基準値に取り込まれることを回避できる。基準値の更新は、車両姿勢角度θｖの計算を停止することで回避してもよいし、車両姿勢角度θｖを算出した上で、得られた車両姿勢角度θｖをメモリ１０８中の基準値と置き換えないことで回避してもよい。
【００４１】
前記「所定期間」は、例えば、初期化処理の終了から車両３００がユーザに引き渡されるまでの期間である。車両３００がユーザに引き渡されたことは、例えば所定のライトスイッチ３０４の操作、所定のレベリングＥＣＵ１００の起動操作、車両診断装置等の外部装置からの解除信号の受信、レベリングＥＣＵ１００の起動回数、走行距離等に基づいて判断することができる。
【００４２】
前記「所定のライトスイッチ３０４の操作」としては、所定時間内での所定回数以上連続したライトスイッチ３０４のオン／オフの切り替え等の、特定のスイッチ操作を挙げることができる。また、前記「所定のレベリングＥＣＵ１００の起動操作」としては、所定時間内での所定回数以上連続したイグニッションのオン／オフの切り替え等の、特定のイグニッション操作を挙げることができる。これらのスイッチ操作及びイグニッション操作、また外部装置からの解除信号の送信操作は、例えばディーラで実施されることが想定される。前記「レベリングＥＣＵ１００の起動回数」は、例えば、ユーザへの車両３００の引き渡しが済んだと推定されるイグニッションのオン／オフの切り替え回数である。前記「走行距離」は、ユーザへの車両３００の引き渡しが済んだと推定される距離である。
【００４３】
したがって、基準値算出制限部１１２は、灯具ユニット１０の所定の点消灯操作が実行された場合、レベリングＥＣＵ１００の所定の起動動作が実行された場合、車両診断装置等の外部装置から解除信号を受信した場合、レベリングＥＣＵ１００の起動回数が所定回数を越えた場合、又は車両３００の走行距離が所定距離を超えた場合に、制限指示を停止する。前記「所定の点消灯操作」、「所定の起動操作」、「起動回数」及び「走行距離」は、設計者による実験やシミュレーションに基づき適宜設定することが可能である。
【００４４】
所定期間における車両停止中の合計角度θの変化を車両姿勢角度θｖの基準値に反映させないことで、自ずと当該変化を路面角度θｒの基準値に反映させないことになる。すなわち、上述した基準値算出制限部１１２からの制限指示がない場合、初期化処理後の所定期間内に発生した車両停止中の路面角度θｒの変化（誤差）が車両姿勢角度θｖの基準値に取り込まれる。また、初期化処理後の所定期間内に車両３００が走行すると、車両停止時に合計角度θと、誤差が取り込まれた車両姿勢角度θｖの基準値とを用いて路面角度θｒの基準値が算出される。このとき、路面角度θｒの基準値に誤差が取り込まれてしまう。これに対し、本実施形態では、基準値算出制限部１１２から制御部１０４に制限指示がなされる。そのため、車両停止時に合計角度θと、誤差を含まない車両姿勢角度θｖの基準値とを用いて路面角度θｒの基準値が算出される。したがって、路面角度θｒの基準値に誤差が取り込まれない。すなわち、路面角度θｒの基準値に、所定期間における車両停止中の合計角度θの変化が反映されない。
【００４５】
所定のレベリングＥＣＵ１００の起動操作、車両診断装置等の外部装置からの解除信号の受信、又はレベリングＥＣＵ１００の起動回数を、基準値算出制限部１１２が制御部１０４への指示を終了するトリガとする場合、通常、車両停止中に制限指示が停止されることになる。この場合、制限指示の停止後の最初の角度計算は、車両姿勢角度θｖの計算となる。しかしながら、制限指示の停止時に車両３００が位置する路面は、水平路面でない可能性がある。そのため、制御部１０４は、制限指示の停止後にまず合計角度θから車両姿勢角度θｖの基準値を減算して路面角度θｒの基準値を算出し、得られた路面角度θｒの基準値を用いて車両姿勢角度θｖを算出することが好ましい。
【００４６】
なお、車両停止中に基準値算出制限部１１２の制限指示が停止される場合であって、制限指示停止時の路面が水平路面であり、所定期間内の車両３００の自走による合計角度θの変化がないと推定可能な場合、制限指示停止後の最初の計算で車両姿勢角度θｖを求めてもよい。車両姿勢角度θｖの計算は、合計角度θから路面角度θｒの基準値を減算するものであるため、車両姿勢角度θｖの基準値は用いられない。したがってこの場合、基準値算出制限部１１２は、初期化処理終了からの所定期間、所定期間における車両停止中の合計角度θの変化を路面角度θｒの基準値のみに反映させない制御を制御部１０４に指示してもよい。制御部１０４は、基準値算出制限部１１２からこの指示を受けると、車両停止中の合計角度θの変化に対して車両姿勢角度θｖを計算する。一方、制御部１０４は、所定期間内に車両３００が自走した場合であっても、車両停止時の路面角度θｒの計算を回避する。これにより、所定期間における車両停止中の合計角度θの変化が、車両姿勢角度θｖの基準値を介して路面角度θｒの基準値に取り込まれることを回避できる。
【００４７】
基準値算出制限部１１２によって制御部１０４に制限指示がなされている間、制御部１０４は、レベリングアクチュエータ２２６による光軸Ｏの調節を停止してもよい。これにより、レベリングアクチュエータ２２６の駆動回数の増加を抑制することができる。
【００４８】
図５は、実施形態１に係る車両用灯具の制御装置が実行するオートレベリング制御のフローチャートである。このフローは、例えばライトスイッチ３０４によってオートレベリング制御モードの実行指示がなされ、且つイグニッションがオンにされた場合に制御部１０４及び基準値算出制限部１１２により所定のタイミングで繰り返し実行され、イグニッションがオフにされた場合に終了する。なお、ここでは、外部装置からの解除信号の受信を、制限指示の停止トリガとする場合を例に挙げて説明する。
【００４９】
まず、基準値算出制限部１１２は、初期化処理が終了したか判断する（Ｓ１０１）。初期化処理の終了は、例えば制御部１０４から初期化処理終了信号を受信することで検知することができる。初期化処理が終了していない場合（Ｓ１０１のＮ）、基準値算出制限部１１２は本ルーチンを終了する。初期化処理が終了している場合（Ｓ１０１のＹ）、基準値算出制限部１１２は、制御部１０４への制限指示が済んでいるか判断する（Ｓ１０２）。制限指示が済んでいない場合（Ｓ１０２のＮ）、基準値算出制限部１１２は、制御部１０４への制限指示を実施する（Ｓ１０３）。すなわち、基準値算出制限部１１２は、合計角度θの変化を基準値に反映させない制御の実行を指示する信号を制御部１０４に送信する。
【００５０】
続いて、基準値算出制限部１１２は、外部装置から解除信号を受信したか判断する（Ｓ１０４）。また、制限指示が済んでいる場合（Ｓ１０２のＹ）、基準値算出制限部１１２は、制限指示を実施することなく解除信号を受信したか判断する。解除信号を受信していない場合（Ｓ１０４のＮ）、基準値算出制限部１１２は、解除信号を受信したか否かの判断を繰り返す。解除信号を受信した場合（Ｓ１０４のＹ）、基準値算出制限部１１２は、制限指示を停止する（Ｓ１０５）。
【００５１】
制限指示が停止されると、制御部１０４は、車両走行中であるか判断する（Ｓ１０６）。車両走行中である場合（Ｓ１０６のＹ）、制御部１０４は本ルーチンを終了する。車両走行中でない場合（Ｓ１０６のＮ）、制御部１０４は、車両停止時であるか判断する（Ｓ１０７）。車両停止時である場合（Ｓ１０７のＹ）、制御部１０４は、現在の合計角度θから車両姿勢角度θｖの基準値を減算して路面角度θｒを算出する（Ｓ１０８）。そして、路面角度θｒの基準値を算出された路面角度θｒに更新し（Ｓ１０９）、本ルーチンを終了する。
【００５２】
車両停止時でない場合（Ｓ１０７のＮ）、この場合は車両停止中であることを意味するため、制御部１０４は、現在の合計角度θから路面角度θｒの基準値を減算して車両姿勢角度θｖを算出する（Ｓ１１０）。そして、得られた車両姿勢角度θｖを用いて光軸角度θｏを調節するとともに、車両姿勢角度θｖの基準値を得られた車両姿勢角度θｖに更新し（Ｓ１１１）、本ルーチンを終了する。
【００５３】
以上説明したように、本実施形態に係るレベリングＥＣＵ１００において、制御部１０４は、車両停止中の傾斜センサ１１０検出値の変化に対して、検出値と路面角度θｒの基準値とから得られる車両姿勢角度θｖを用いて調節信号を出力し、得られる車両姿勢角度θｖを新たな基準値として保持する。また、車両走行中の検出値の変化に対して光軸位置を維持するよう制御し、検出値と車両姿勢角度θｖの基準値とから得られる路面角度θｒを新たな基準値として保持する。また、基準値算出制限部１１２は、レベリングＥＣＵ１００の初期化処理が終了してからの所定期間、当該所定期間における車両停止中の検出値の変化を車両姿勢角度θｖの基準値及び路面角度θｒの基準値の少なくとも一方に反映させることを回避する制御を制御部１０４に指示する。すなわち、レベリングＥＣＵ１００は、初期化処理後の所定期間、車両停止中の検出値の変化を車両姿勢角度θｖの変化として扱わない制御を実施する。これにより、初期化処理後に起こり得る、車両停止中の路面角度θｒの変化が車両姿勢角度θｖの基準値及び／又は路面角度θｒの基準値に取り込まれることを回避できる。したがって、オートレベリング制御の精度を高めることができる。
【００５４】
（実施形態２）
実施形態２に係る車両用灯具の制御装置は、初期化処理後の所定期間における合計角度θの変化を、路面角度θｒの基準値に反映させる点が異なることを除き、実施形態１の構成と共通する。以下、実施形態２に係る車両用灯具の制御装置について、実施形態１と異なる構成を中心に説明する。なお、実施形態１と同様の構成については同一の符号を付し、その説明及び図示は適宜省略する。
【００５５】
上述したように、車両姿勢角度θｖの基準値に取り込まれる誤差の原因は、車両停止中に生じる路面角度θｒの変化である。そこで、本実施形態の基準値算出制限部１１２は、初期化処理後の所定期間における車両停止中の検出値の変化を、車両姿勢角度θｖの基準値に反映させず、路面角度θｒの基準値に反映させる制御を制御部１０４に指示する。制御部１０４は、基準値算出制限部１１２から指示を受けると、車両走行中の合計角度θの変化に対してだけでなく、車両停止中の合計角度θの変化に対しても路面角度θｒを計算し、路面角度θｒの基準値を更新する。
【００５６】
本実施形態に係るレベリングＥＣＵ１００は、初期化処理後の所定期間、本来であれば車両姿勢角度θｖの変化として扱われる車両停止中の合計角度θの変化を路面角度θｒの変化として扱い、この変化を路面角度θｒの基準値に取り込んでいる。これにより、搬送車両への車両積載時の路面と、搬送車両から下ろされた路面とで路面角度θｒが異なる場合であっても、この路面角度θｒの差分を路面角度θｒの基準値に取り込むことができる。したがって、オートレベリング制御の精度をより高めることができる。
【００５７】
本発明は、上述の各実施形態に限定されるものではなく、各実施形態を組み合わせたり、当業者の知識に基づいて各種の設計変更などの変形を加えることも可能であり、そのような組み合わせられ、もしくは変形が加えられた実施形態も本発明の範囲に含まれる。上述の各実施形態同士、及び上述の各実施形態と変形との組合せによって生じる新たな実施形態は、組み合わされる実施形態及び変形それぞれの効果をあわせもつ。
【００５８】
上述の各実施形態では、傾斜センサ１１０として加速度センサを用いているが、傾斜センサ１１０は、ジャイロセンサ（角速度センサ、角加速度センサ）や地磁気センサ等であってもよい。
【００５９】
なお、上述の各実施形態に係る発明は、以下に記載する項目によって特定されてもよい。
［項目１］
光軸を調節可能な車両用灯具と、
水平面に対する路面の傾斜角度である路面角度と、路面に対する車両の傾斜角度である車両姿勢角度とを含む、水平面に対する車両の傾斜角度である合計角度を導出可能な傾斜センサと、
前記車両用灯具の光軸調節を制御するための制御装置と、を備え、
前記制御装置は、
前記傾斜センサの検出値を受信するための受信部と、
前記路面角度の基準値と前記車両姿勢角度の基準値とを保持し、車両停止中の前記検出値の変化に対しては、前記検出値と前記路面角度の基準値とから得られる車両姿勢角度を用いて、車両用灯具の光軸位置の調節を指示する調節信号を出力し、得られる車両姿勢角度を新たな基準値として保持し、車両走行中の前記検出値の変化に対しては、前記調節信号の出力を回避するか、光軸位置の維持を指示する維持信号を出力し、前記検出値と前記車両姿勢角度の基準値とから得られる路面角度を新たな基準値として保持する制御部と、
所定の初期化処理が終了してからの所定期間、当該所定期間における車両停止中の前記検出値の変化を前記車両姿勢角度の基準値及び前記路面角度の基準値の少なくとも一方に反映させない制御を前記制御部に指示する基準値算出制限部と、
を備えることを特徴とする車両用灯具システム。
【符号の説明】
【００６０】
１０  灯具ユニット、  １００  レベリングＥＣＵ、  １０２  受信部、  １０４  制御部、  １１０  傾斜センサ、  １１２  基準値算出制限部、  ３００  車両、  θ  合計角度、  θｒ  路面角度、  θｖ  車両姿勢角度、  Ｏ  光軸。
【図１】
2014104787.tif 000003
【図２】
2014104787.tif 000004
【図３】
2014104787.tif 000005
【図４】
2014104787.tif 000006
【図５】
2014104787.tif 000007